(57)【要約】  ４〜３０ｃｍＨ２Ｏの圧力の呼吸圧力治療を提供するべく患者に睡眠中に使用されるコンパクトな呼吸治療デバイスは、ハウジング、入口、出口、ロータを含むモータ、および入口からの空気流れを出口へ送達させるインペラを含む。インペラは、前縁および後縁をそれぞれ含む１組のインペラブレードと；各シュラウドがインペラを通じる流路を部分的に規定する第１・第２のシュラウドであって、第１のシュラウドはインペラ入口の周囲を規定する壁を含む、第１・第２のシュラウドとを含む。呼吸治療デバイスは、出口からの空気流れを４〜３０ｃｍＨ２Ｏの圧力および５０ｄＢ（Ａ）未満の全体的音電力レベルにおいて送達させ、患者の睡眠の質の妨害全てが低減する。インペラの直径は５０ｍｍ未満である。シュラウドは、流路が軸方向においてインペラの内側部よりもインペラの外側部で狭くなるよう構成され；インペラ入口の直径はインペラの直径の５０％である。
2020508732.tif 000002
【特許請求の範囲】
【請求項１】
例えば４〜３０ｃｍＨ２Ｏの圧力における呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、１組のインペラブレードと；
各シュラウドがインペラを通じる流路を少なくとも部分的に規定する、第１のシュラウドおよび第２のシュラウドであって、
前記第１のシュラウドは、インペラ入口の周囲を規定する壁を含む、第１のシュラウドおよび第２のシュラウドとを含み；
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
第１のシュラウドおよび第２のシュラウドは、流路が軸方向においてインペラの内側部よりもインペラの外側部において狭くなるように、構成され；
前記インペラ入口の直径は、インペラの直径の少なくとも５０％である、コンパクトな呼吸治療デバイス。
【請求項２】
前記第１のシュラウドは、実質的に非平面である、請求項１に記載のコンパクトな呼吸治療デバイス。
【請求項３】
前記第１のシュラウドは、円錐台状形状を含む、請求項２に記載のコンパクトな呼吸治療デバイス。
【請求項４】
前記第２のシュラウドは、実質的に平面である、請求項１〜３のいずれか一項に記載のコンパクトな呼吸治療デバイス。
【請求項５】
前記前縁は、モータの軸に対して４５度を超える角度だけ傾斜している、請求項１〜４のいずれか一項に記載のコンパクトな呼吸治療デバイス。
【請求項６】
前記インペラは、金属を含む、請求項１〜５のいずれか一項に記載のコンパクトな呼吸治療デバイス。
【請求項７】
前記インペラは、追加プロセスによって製造される、請求項６に記載のコンパクトな呼吸治療デバイス。
【請求項８】
前記インペラは、共に締結された第１の成型部および第２の成型部を含む、請求項１〜５のいずれか一項に記載のコンパクトな呼吸治療デバイス。
【請求項９】
前記第１の成型部は、前記第１のシュラウドおよび前記１組のインペラブレードを含む、請求項８に記載のコンパクトな呼吸治療デバイス。
【請求項１０】
前記第２の成型部は、インペラハブおよび前記第２のシュラウドを含む、請求項８〜９のいずれか一項に記載のコンパクトな呼吸治療デバイス。
【請求項１１】
前記第１の成型部および前記第２の成型部は、スナップ嵌めによって共に締結される、請求項８〜１０のいずれか一項に記載のコンパクトな呼吸治療デバイス。
【請求項１２】
例えば４〜３０ｃｍＨ２Ｏの圧力における呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、１組のインペラブレードと；
各シュラウドがインペラを通じる流路を少なくとも部分的に規定する、第１のシュラウドおよび第２のシュラウドであって、
前記第１のシュラウドは、インペラ入口の周囲を規定する壁を含む、第１のシュラウドおよび第２のシュラウドとを含み；
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
各インペラブレードの前縁および後縁の厚さは、約０．２ｍｍ未満を成して前記コンパクトな呼吸治療デバイスの効率を向上させる、コンパクトな呼吸治療デバイス。
【請求項１３】
前記インペラは、金属を含む、請求項１２に記載のコンパクトな呼吸治療デバイス。
【請求項１４】
前記インペラは、追加方法によって生成される、請求項１２〜１３のいずれか一項に記載のコンパクトな呼吸治療デバイス。
【請求項１５】
前記第１のシュラウドは、軸方向に対してラジアル方向にテーパー付けされる、請求項１３〜１４のいずれか一項に記載のコンパクトな呼吸治療デバイス。
【請求項１６】
前記ロータは、前記インペラと同じ金属を含むシャフトを含む、請求項１３〜１５のいずれか一項に記載のコンパクトな呼吸治療デバイス。
【請求項１７】
各インペラブレードの前縁および後縁は、エラストマーを含む、請求項１２に記載のコンパクトな呼吸治療デバイス。
【請求項１８】
各インペラブレードは、剛性材料をさらに含む、請求項１７に記載のコンパクトな呼吸治療デバイス。
【請求項１９】
各インペラブレードの前縁および後縁の厚さは、０．１ｍｍ未満である、請求項１２〜１８のいずれか一項に記載のコンパクトな呼吸治療デバイス。
【請求項２０】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、複数のインペラブレードと；
各シュラウドがインペラを通じる流路を少なくとも部分的に規定する、第１のシュラウドおよび第２のシュラウドであって、
前記第１のシュラウドは、インペラ入口の周囲を規定する壁を含む、第１のシュラウドおよび第２のシュラウドとを含み；
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
インペラ入口の周囲の前縁は少なくとも０．５ｍｍの半径の断面形状を含み、これにより使用時に、インペラへ進入する空気流れは半径またはその周囲における取り外しが阻止される、デバイス。
【請求項２１】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、複数のインペラブレードと；
各シュラウドがインペラを通じる流路を少なくとも部分的に規定する、第１のシュラウドおよび第２のシュラウドであって、
前記第１のシュラウドは、インペラ入口の周囲を規定する壁を含む、第１のシュラウドおよび第２のシュラウドとを含み；
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
第１のシュラウドの前縁は少なくとも０．５ｍｍの半径の断面形状を含み、これにより使用時に、インペラへ進入する空気流れは取り外しが阻止される、コンパクトな呼吸治療デバイス。
【請求項２２】
第１のシュラウドの前縁の半径は、第１のシュラウドの本体の最大厚さより７０％大きい、請求項２１に記載のコンパクトな呼吸治療デバイス。
【請求項２３】
第１のシュラウドの前縁の半径は、第１のシュラウドの本体の最大厚さより大きい、請求項２２に記載のコンパクトな呼吸治療デバイス。
【請求項２４】
前記第１のシュラウドは、モータの軸方向にテーパー状にされる、請求項２１〜２３のいずれか一項に記載のコンパクトな呼吸治療デバイス。
【請求項２５】
前記第１のシュラウドは、円錐台状形状を含む、請求項２１〜２４のいずれか一項に記載のコンパクトな呼吸治療デバイス。
【請求項２６】
前記第２のシュラウドは、実質的に平面である、請求項２１〜２５のいずれか一項に記載のコンパクトな呼吸治療デバイス。
【請求項２７】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、複数のインペラブレードと；
各シュラウドがインペラを通じる流路を少なくとも部分的に規定する、第１のシュラウドおよび第２のシュラウドであって、
前記第１のシュラウドは、インペラ入口の周囲を規定する壁を含む、第１のシュラウドおよび第２のシュラウドとを含み；
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
第１のシュラウドの前縁は少なくともインペラの直径の１％の半径の断面形状を含み、これにより使用時に、インペラへ進入する空気流れは取り外しが阻止される、デバイス。
【請求項２８】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、複数のインペラブレードと；
各シュラウドがインペラを通じる流路を少なくとも部分的に規定する、第１のシュラウドおよび第２のシュラウドであって、
前記第１のシュラウドは、インペラ入口の周囲を規定する壁を含む、第１のシュラウドおよび第２のシュラウドとを含み；
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
第１のシュラウドは第１の材料を含み、第２のシュラウドは第２の材料を含み、第１および第２の材料のいずれかはエラストマーである、コンパクトな呼吸治療デバイス。
【請求項２９】
前記第１および第２の材料のいずれかは、シリコーンである、請求項２８に記載のコンパクトな呼吸治療デバイス。
【請求項３０】
前記複数のインペラブレードは、後縁にシリコーンを含む、請求項２８〜２９のいずれか一項に記載のコンパクトな呼吸治療デバイス。
【請求項３１】
前記後縁は、前記後縁に沿って配置されたセレーションを含む、請求項３０に記載のコンパクトな呼吸治療デバイス。
【請求項３２】
前記第１のシュラウドは、実質的に非平面である、請求項２８〜３１のいずれか一項に記載のコンパクトな呼吸治療デバイス。
【請求項３３】
前記第１のシュラウドは、円錐台状形状を含む、請求項２８〜３２のいずれか一項に記載のコンパクトな呼吸治療デバイス。
【請求項３４】
前記第２のシュラウドは、実質的に平面である、請求項２８〜３３のいずれか一項に記載のコンパクトな呼吸治療デバイス。
【請求項３５】
前記前縁は、モータの軸に対して４５度を超える角度だけ傾斜している、請求項２８〜３４のいずれか一項に記載のコンパクトな呼吸治療デバイス。
【請求項３６】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、複数のインペラブレードおよびインペラ入口の周囲を固定する壁を含む、第１のシュラウドを含む、第１の成型部品と；
ロータおよび第２のシュラウドへ結合するような構造にされたハブを含む第２の成型部品とを含み、
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
各シュラウドは、インペラを通じる流路を少なくとも部分的に規定する、コンパクトな呼吸治療デバイス。
【請求項３７】
前記第１の成型部品および前記第２の成型部品は、スナップ嵌めによって締結される、請求項３６に記載のコンパクトな呼吸治療デバイス。
【請求項３８】
前記ハブは前記ロータ上にプレス嵌めされ、前記スナップ嵌めは、前記プレス嵌めによって締結される、請求項３７に記載のコンパクトな呼吸治療デバイス。
【請求項３９】
前記第１の成型部品および前記第２の成型部品は、共に溶接される、請求項３６に記載のコンパクトな呼吸治療デバイス。
【請求項４０】
コンパクトな呼吸治療デバイスであって、
前記第１の成型部品は、前記第２のシュラウドの外側部をさらに含み、
前記第２の成型部品は、前記第１のシュラウドの外側部をさらに含む、請求項３６に記載のコンパクトな呼吸治療デバイス。
【請求項４１】
前記第２の成型部品は、前記インペラブレードの内側部をさらに含む、請求項４０に記載のコンパクトな呼吸治療デバイス。
【請求項４２】
前記インペラブレードの内側部位は、インペラブレード内に設けられた対応する開口部中に受容されるように適合される、請求項４１に記載のコンパクトな呼吸治療デバイス。
【請求項４３】
前記第１の成型部品は、シリコーンを含む、請求項４０〜４２のいずれか一項に記載のコンパクトな呼吸治療デバイス。
【請求項４４】
前記第１の成型部品は、前記第２の成型部品へオーバーモールドされる、請求項４３に記載のコンパクトな呼吸治療デバイス。
【請求項４５】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
各インペラブレードが前縁および後縁を含む、複数のインペラブレード；ロータへ結合するような構造にされたハブ；およびインペラ入口の周囲を固定する壁を含む、第１のシュラウドを含む、第１の成型部品と；
第２のシュラウドおよび締結部を含む、第２の成型部品とを含み、
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
各シュラウドは、インペラを通じる流路を少なくとも部分的に規定する、コンパクトな呼吸治療デバイス。
【請求項４６】
前記第１の成型部品は、前記第２の成型部品の前記締結部と係合するように適合された複数の突起をさらに含む、請求項４５に記載のコンパクトな呼吸治療デバイス。
【請求項４７】
各インペラブレードは、前記第２の成型部品の前記締結部と係合するように適合された肉厚突起を含む、請求項４５に記載のコンパクトな呼吸治療デバイス。
【請求項４８】
前記第２の成型部品の前記締結部は、前記第１の成型部品のハブが係合するように適合された前記ハブの下部を含む、請求項４５〜４７のいずれか一項に記載のコンパクトな呼吸治療デバイス。
【請求項４９】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
インペラ入口の周囲を規定する壁を含む第１のシュラウドを含む第１の成型部品と；
ロータおよび第２のシュラウドへ結合するような構造にされたハブを含む第２の成型部品と；
各インペラブレードが前縁および後縁を含む、複数のインペラブレードを含む第３の成型部品とを含み、
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
各シュラウドは、インペラを通じる流路を少なくとも部分的に規定する、コンパクトな呼吸治療デバイス。
【請求項５０】
呼吸圧力治療を提供するために患者によって睡眠中に使用されることに適合したコンパクトな呼吸治療デバイスであって、
ハウジングと；
入口と；
出口と；
ロータを含むモータと；
入口からの空気流れを出口へ送達させるようにロータによって回転されるように構成されたインペラとを含み、前記インペラは、
インペラ入口の周囲を固定する壁を含む、第１のシュラウド；および各インペラブレードが前縁および後縁を含む、複数のインペラブレードを含む、第１の成型部品と；
第２のシュラウドを含む、第２の成型部品と；
ロータへ結合するような構造にされたハブを含む第３の成型部品とを含み、
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減し、
ここで：
前記インペラの直径は、５０ｍｍ未満であり；
各シュラウドは、インペラを通じる流路を少なくとも部分的に規定する、コンパクトな呼吸治療デバイス。
【請求項５１】
前記第２の成型部品は、前記ハブの下部および前記インペラブレードそれぞれの下部をさらに含む、請求項５０に記載のコンパクトな呼吸治療デバイス。
【請求項５２】
前記第１の成型部品は、前記ハブの上部をさらに含む、請求項５０〜５１のいずれか一項に記載のコンパクトな呼吸治療デバイス。
【請求項５３】
前記第３の成型部品は、前記第１の成型部品および第２の成型部品を相互に締結するように、前記第１の成型部品および第２の成型部品へ射出成形される、請求項５０〜５２のいずれか一項に記載のコンパクトな呼吸治療デバイス。
【請求項５４】
空気流れを送達させるようにロータによって回転されるように構成されたインペラであって、
各インペラブレードが前縁および後縁を含む、１組のインペラブレードと；
各シュラウドがインペラを通じる流路を少なくとも部分的に規定する、第１のシュラウドおよび第２のシュラウドであって、前記第１のシュラウドは、インペラ入口の周囲を規定する壁を含む、第１のシュラウドおよび第２のシュラウドとを含み、
ここで：
前記インペラの直径は、５０ｍｍ未満であり；
前記インペラは、金属材料を含み、
前記インペラは、追加プロセスによって製造される、インペラ。
【請求項５５】
呼吸圧力治療を提供するために患者によって睡眠中に使用されることに適合したコンパクトな呼吸治療デバイスであって、
ハウジングと；
入口と；
出口と；
ロータを含むモータと；
請求項５４に記載のインペラとを含み、
前記コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する、コンパクトな呼吸治療デバイス。
【発明の詳細な説明】
【技術分野】
【０００１】
１  関連出願の相互参照
本出願は、米国仮特許出願第６２／４５８，８６２号（出願日：２０１７年２月１４日）、および米国仮特許出願第６２／５１２，４４５号（出願日：２０１７年５月３０日）の利益を主張する。本明細書中、同文献全体を参考のため援用する。
【０００２】
２  技術の背景
２．１  技術の分野
本技術は、呼吸治療デバイス（例えば、気道陽圧（ＰＡＰ）デバイスまたは人工呼吸器）のための送風機のためのインペラに関する。一例において、送風機は、呼吸治療を患者へ送達するために用いられるＰＡＰデバイスにおいて用いられ得る。より詳細には、インペラは、小型の呼吸圧力治療デバイス（例えば、設置面積の最小化、ポータブル性、または装着可能性のために設計されたもの）に特に適切であり得る。
【背景技術】
【０００３】
２．２  関連技術の説明
２．２．１  治療法
多様な療法（例えば、持続的気道陽圧（ＣＰＡＰ）治療法、非侵襲的換気（ＮＩＶ）および侵襲的換気（ＩＶ））が呼吸器疾患の１つ以上の治療のために用いられている。
【０００４】
２．２．２  治療システム
これらの治療は、治療システムまたはデバイスによって提供され得る。このようなシステムおよびデバイスは、疾患を治療することなく診断するためにも、用いられ得る。
【０００５】
治療システムは、呼吸圧力療法デバイス（ＲＰＴデバイス）、空気回路、加湿器、患者インターフェース、およびデータ管理を含み得る。
【０００６】
２．２．２．１  患者インターフェース
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。
【０００７】
２．２．２．２  呼吸圧力治療（ＲＰＴ）デバイス
呼吸圧力治療（ＲＰＴ）デバイスは、例えば気道入口への空気送達流れを生成することにより、上記した複数の治療のうち１つ以上の送達に用いられ得る。この空気流れは、加圧され得る。ＲＰＴデバイスの例を挙げると、ＣＰＡＰデバイスおよび人工呼吸器がある。
【０００８】
空気圧生成器は、広範な用途（例えば、工業規模換気システム）において公知である。しかし、医療用途のための空気圧生成器は、より一般的な空気圧生成器（例えば、医療機器の信頼性要件、サイズ要件および重量要件）では満足できない特定の要件を有する。加えて、医療治療向けに設計されたデバイスであっても、以下のうち１つ以上に関連して欠陥を免れない場合がある：快適性、ノイズ、使いやすさ、有効性、サイズ、重量、製造可能性、コストおよび信頼性。
【０００９】
特定のＲＰＴデバイスの特殊な要件の一例として、音響ノイズがある。
【００１０】
従来のＲＰＴデバイスのノイズ出力レベルの表（試料１個のみをＩＳＯ３７４４に指定の試験方法を用いてＣＰＡＰモードにおいて１０ｃｍＨ２Ｏにて測定）。
【００１１】
【表１】
2020508732.tif 000003
【００１２】
ＲＰＴデバイスのための１つの適切な形態の圧力生成器は、１つ以上のインペラを含み得る遠心空気送風機であり得る。デバイスの設計者には無数の選択肢が有るため、インペラの設計者は、課題に直面する場合がある。
【００１３】
例えば、ＲＰＴデバイスのためのインペラは、望ましい特性（例えば、治療のための高い効率、流量および圧力出力要求、小さなサイズおよび回転慣性、低コスト、高い機械的強度および耐久性）が競合する場合がある。例えば、１つの特性を満たすために既存のインペラの直径を単に低減した場合、そのサイズおよび慣性は有利に低下するものの、その最大の利用可能な流量が低下し得る。例えば、いくつかの空気力学的特徴により、インペラの効率が向上する場合があるが、必要な製造プロセスがより複雑になるため、インペラのコストが増加し得る。要するに、設計基準同士が対立することが多くあるため、特定の設計選択肢が慣例からほど遠くなるかあるいは避けられないことがある。
【発明の概要】
【課題を解決するための手段】
【００１４】
３  技術の簡単な説明
本技術は、当該分野において公知の課題のうちいくつかを向上または低減させ得るインペラ、送風機および／またはＲＰＴデバイスの別の配置構成を含む医療デバイスと、その製造方法とを提供することに関し、これにより、快適性向上、コスト向上、有効性向上、使いやすさ向上および製造可能性向上のうち１つ以上を可能にする。
【００１５】
本技術の第１の態様は、呼吸器疾患の診断、改善、治療または予防に用いられる装置に関連する。
【００１６】
本技術の別の態様は、ノイズおよび／または効率における妥協を最低限にしつつ、より小さなまたはコンパクトなサイズ（例えば、より小さなサイズのインペラ）を有するＲＰＴデバイスに関する。
【００１７】
本技術の別の態様は、例えば４〜３０ｃｍＨ２Ｏの圧力における呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、１組のインペラブレードを含み、各インペラブレードは、前縁および後縁を含む。インペラはまた、第１のシュラウドおよび第２のシュラウドを含み、各シュラウドは、インペラを通じる流路を少なくとも部分的に規定する。第１のシュラウドは、インペラ入口の周囲を規定する壁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は、５０ｍｍ未満である。第１のシュラウドおよび第２のシュラウドは、流路が軸方向においてインペラの内側部よりもインペラの外側部において狭くなるように、構成され、インペラ入口の直径は、インペラの直径の少なくとも５０％である。
【００１８】
一例において、第１のシュラウドは、実質的に非平面であり得る。一例において、第１のシュラウドは、円錐台状形状であり得る。一例において、第２のシュラウドは、実質的に平面であり得る。一例において、前縁は、モータの軸に対して４５度を超える角度だけ傾斜し得る。一例において、インペラは金属を含み得る。一例において、インペラは、追加プロセスによって製造され得る。一例において、インペラは、共に締結された第１の成型部および第２の成型部を含み得る。一例において、第１の成型部は、第１のシュラウドおよび１組のインペラブレードを含み得る。一例において、第２の成型部は、インペラハブおよび第２のシュラウドを含み得る。一例において、第１の成型部および第２の成型部は、スナップ嵌めにより共に締結され得る。
【００１９】
本技術の別の態様は、例えば４〜３０ｃｍＨ２Ｏの圧力における呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、１組のインペラブレードを含み、各インペラブレードは、前縁および後縁を含む。インペラはまた、第１のシュラウドおよび第２のシュラウドを含み、各シュラウドは、インペラを通じる流路を少なくとも部分的に規定する。第１のシュラウドは、インペラ入口の周囲を規定する壁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は、５０ｍｍ未満である。各インペラブレードの前縁および後縁の厚さは、約０．２ｍｍ未満を成して前記コンパクトな呼吸治療デバイスの効率を向上させる、デバイス。
【００２０】
一例において、インペラは金属を含み得る。一例において、インペラは、追加方法によって生成され得る。一例において、第１のシュラウドは、軸方向に対してラジアル方向においてテーパー付けされ得る。一例において、ロータは、インペラと同じ金属を含むシャフトを含み得る。一例において、各インペラブレードの前縁および後縁は、エラストマーを含み得る。例において、各インペラブレードは、剛性材料をさらに含み得る。一例において、各インペラブレードの前縁および後縁の厚さは、０．１ｍｍ未満であり得る。
【００２１】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、複数のインペラブレードを含み、各インペラブレードは、前縁および後縁を含む。インペラはまた、第１のシュラウドおよび第２のシュラウドを含み、各シュラウドは、インペラを通じる流路を少なくとも部分的に規定する。第１のシュラウドは、インペラ入口の周囲を規定する壁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は５０ｍｍ未満であり、インペラ入口の周囲の前縁は少なくとも０．５ｍｍの半径の断面形状を含み、これにより使用時に、インペラへ進入する空気流れは半径またはその周囲における取り外しが阻止される。
【００２２】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、複数のインペラブレードを含み、各インペラブレードは、前縁および後縁を含む。インペラはまた、第１のシュラウドおよび第２のシュラウドを含み、各シュラウドは、インペラを通じる流路を少なくとも部分的に規定する。第１のシュラウドは、インペラ入口の周囲を規定する壁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は約５０ｍｍ未満であり、第１のシュラウドの前縁は少なくとも０．５ｍｍの半径の断面形状を含み、これにより使用時に、インペラへ進入する空気流れは取り外しが阻止される。
【００２３】
一例において、第１のシュラウドの前縁の半径は、第１のシュラウドの本体の最大厚さより７０％大きい。一例において、第１のシュラウドの前縁の半径は、第１のシュラウドの本体の最大厚さより大きい。一例において、第１のシュラウドは、モータの軸方向にテーパー状にされ得る。一例において、第１のシュラウドは、円錐台状形状を含み得る。一例において、第２のシュラウドは、実質的に平面であり得る。
【００２４】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、複数のインペラブレードを含み、各インペラブレードは、前縁および後縁を含む。インペラはまた、第１のシュラウドおよび第２のシュラウドを含み、各シュラウドは、インペラを通じる流路を少なくとも部分的に規定する。第１のシュラウドは、インペラ入口の周囲を規定する壁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は約５０ｍｍ未満であり、第１のシュラウドの前縁は少なくともインペラの直径の１％の半径の断面形状を含み、これにより使用時に、インペラへ進入する空気流れは取り外しが阻止される。
【００２５】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、複数のインペラブレードを含み、各インペラブレードは、前縁および後縁を含む。インペラはまた、第１のシュラウドおよび第２のシュラウドを含み、各シュラウドは、インペラを通じる流路を少なくとも部分的に規定する。第１のシュラウドは、インペラ入口の周囲を規定する壁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は約５０ｍｍ未満であり、第１のシュラウドは第１の材料を含み、第２のシュラウドは第２の材料を含み、第１の材料および第２の材料のうち１つはエラストマーである。
【００２６】
一例において、第１の材料および第２の材料のうち１つは、シリコーンであり得る。一例において、複数のインペラブレードは、シリコーンを後縁において含み得る。一例において、後縁は、後縁に沿って配置されたセレーションを含み得る。一例において、第１のシュラウドは、実質的に非平面であり得る。一例において、第１のシュラウドは、円錐台状形状を含み得る。一例において、第２のシュラウドは、実質的に平面であり得る。一例において、前縁は、モータの軸に対して４５度を超える角度だけ傾斜し得る。
【００２７】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、複数のインペラブレードを含む第１の成型部品を含む。各インペラブレードは、前縁および後縁を含む。第１のシュラウドは、インペラ入口の周囲を固定する壁を含む。インペラは、第２の成型部品も含む。第２の成型部品は、ロータおよび第２のシュラウドへ結合するような構造にされたハブを含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は、約５０ｍｍ未満であり、各シュラウドは、インペラを通じる流路を少なくとも部分的に規定する。
【００２８】
一例において、第１の成型部品および第２の成型部品は、スナップ嵌めにより締結され得る。一例において、ハブは、ロータ上へプレス嵌めされ得、スナップ嵌めは、プレス嵌めによって締結され得る。一例において、第１の成型部品および第２の成型部品は、共に溶接され得る。一例において、第１の成型部品は、第２のシュラウドの外側部をさらに含み得る。第２の成型部品は、第１のシュラウドの外側部をさらに含み得る。一例において、第２の成型部品は、インペラブレードの内側部をさらに含み得る。一例において、インペラブレードの内側部は、インペラブレード内に設けられた対応する開口部内に受容されるように適合され得る。一例において、第１の成型部品は、シリコーンを含み得る。一例において、第１の成型部品は、第２の成型部品へオーバーモールドされ得る。
【００２９】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、複数のインペラブレードを含む第１の成型部品であって、各インペラブレードは前縁および後縁を含む、第１の成型部品と、ロータへ連結するような構造にされたハブと、インペラ入口の周囲を規定する壁を含む第１のシュラウドとを含む。インペラは、第２の成型部品をさらに含む。第２の成型部品は、第２のシュラウドおよび締結部を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は、約５０ｍｍ未満であり、各シュラウドは、インペラを通じる流路を少なくとも部分的に規定する。
【００３０】
一例において、第１の成型部品は、複数の突起をさらに含み得る。これらの複数の突起は、第２の成型部品の締結部と係合するように適合される。一例において、各インペラブレードは、第２の成型部品の締結部と係合するように適合された肉厚突起を含み得る。一例において、第２の成型部品の締結部は、ハブの下部を含み得る。ハブの下部に対し、第１の成型部品のハブが係合するように適合される。
【００３１】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、インペラ入口の周囲を規定する壁を含む第１のシュラウドを含む第１の成型部品と、ロータおよび第２のシュラウドへ結合するような構造にされたハブを含む第２の成型部品と、複数のインペラブレードを含む第３の成型部品とを含む。各インペラブレードは、前縁および後縁を含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は、約５０ｍｍ未満であり、各シュラウドは、インペラを通じる流路を少なくとも部分的に規定する。
【００３２】
本技術の別の態様は、呼吸圧力治療を提供するために患者によって睡眠中に使用されることに適合したコンパクトな呼吸治療デバイスに関する。デバイスは、ハウジング、入口、出口、ロータを含むモータ、および入口からの空気流れを出口へ送達させるようにロータによって回転されるように構成されたインペラを含む。インペラは、インペラ入口の周囲を規定する壁を含む第１のシュラウドを含む第１の成型部品と、複数のインペラブレードであって、各インペラブレードは前縁および後縁を含む、複数のインペラブレードと、第２のシュラウドを含む第２の成型部品と、ロータへ連結するような構造にされたハブを含む第３の成型部品とを含む。コンパクトな呼吸治療デバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。インペラの直径は、約５０ｍｍ未満であり、各シュラウドは、インペラを通じる流路を少なくとも部分的に規定する。
【００３３】
一例において、第２の成型部品は、ハブの下部と、インペラブレードそれぞれの下部とをさらに含み得る。一例において、第１の成型部品は、ハブの上部をさらに含み得る。一例において、第３の成型部品は、第１の成型部品および第２の成型部品を相互締結させるために、第１の成型部品および第２の成型部品へ射出成形され得る。
【００３４】
本技術の別の態様は、空気流れを送達させるようにロータによって回転されるように構成されたインペラに関する。該インペラは：各インペラブレードが前縁および後縁を含む、１組のインペラブレードと；各シュラウドがインペラを通じる流路を少なくとも部分的に規定する、第１のシュラウドおよび第２のシュラウドであって、前記第１のシュラウドは、インペラ入口の周囲を規定する壁を含む、第１のシュラウドおよび第２のシュラウドとを含む。インペラの直径は、５０ｍｍ未満である。インペラは金属材料を含み、インペラは、追加プロセスによって製造される。
【００３５】
もちろん、上記態様の一部は、本技術の下位態様を形成し得る。また、下位態様および／または態様のうち多様な１つを多様に組み合わせることができ、本技術のさらなる態様または下位態様も構成し得る。
【００３６】
本技術の他の特徴は、以下の詳細な説明、要約、図面および特許請求の範囲中に含まれる情報に鑑みれば明らかになる。本技術を、添付図面中に非限定的に一実施例として例示する。図面中、類似の参照符号は、以下の類似の要素を含む。
【図面の簡単な説明】
【００３７】
【図１Ａ】４．１  治療システム：図１Ａは、患者インターフェース３０００を装着している患者１０００を含むシステムを示す。このシステムは、鼻枕の形態をとり、ＲＰＴデバイス４０００から供給される陽圧の空気を受容する。ＲＰＴデバイス４０００からの空気は、加湿器５０００によって加湿され、空気回路４１７０に沿って患者１０００へと移動する。同床者１１００も図示される。患者は、仰臥位睡眠位置において睡眠している。
【図２Ａ】４．２  呼吸システムおよび顔の解剖学的構造：図２Ａは、鼻腔および口腔、喉頭、声帯ひだ、食道、気管、気管支、肺、肺胞嚢、心臓および横隔膜を含むヒト呼吸器系の概要を示す。
【図３Ａ】４．３  患者インターフェース：図３Ａは、本技術の一形態による鼻マスクの形態の患者インターフェースを示す。
【図４Ａ】４．４  ＲＰＴデバイス：本技術の一形態に従ったＲＰＴデバイスを示す。
【図５Ａ】４．５  インペラ：図５Ａは、本技術の一形態によるインペラを示す。
【図５Ｂ】図５Ｂは、図５Ａに示すインペラの断面図である。
【図５Ｃ】図５Ｃは、図５Ａに示すインペラの等角図である。
【図５Ｄ】図５Ｄは、図５Ａに示すインペラの立面図である。
【図５Ｅ】図５Ｅは、図５Ａに示すインペラの立面図であり、図５Ｆ〜図５Ｎについてとられた断面を示す。
【図５Ｆ】図５Ｆは、図５Ｅに示すような多様な断面における本技術の一形態によるインペラの平面図である。
【図５Ｇ】図５Ｇは、図５Ｅに示すような多様な断面における本技術の一形態によるインペラの平面図である。
【図５Ｈ】図５Ｈは、図５Ｅに示すような多様な断面における本技術の一形態によるインペラの平面図である。
【図５Ｉ】図５Ｉは、図５Ｅに示すような多様な断面における本技術の一形態によるインペラの平面図である。
【図５Ｊ】図５Ｊは、図５Ｅに示すような多様な断面における本技術の一形態によるインペラの平面図である。
【図５Ｋ】図５Ｋは、図５Ｅに示すような多様な断面における本技術の一形態によるインペラの平面図である。
【図５Ｌ】図５Ｌは、図５Ｅに示すような多様な断面における本技術の一形態によるインペラの平面図である。
【図５Ｍ】図５Ｍは、図５Ｅに示すような多様な断面における本技術の一形態によるインペラの平面図である。
【図５Ｎ】図５Ｎは、図５Ｅに示すような多様な断面における本技術の一形態によるインペラの平面図である。
【図５Ｏ】図５Ｏは、本技術の一形態によるインペラの立面図である。
【図５Ｐ】図５Ｐは、図５Ｏに示すインペラの等角図である。
【図５Ｑ】図５Ｑは、図５Ｏに示すインペラの平面図であり、図５Ｒ〜図５Ｓについてとられた断面を示す。
【図５Ｒ】図５Ｒは、図５Ｑに示すようなインペラの断面を示す。
【図５Ｓ】図５Ｓは、図５Ｑに示すようなインペラの断面を示す。
【図５Ｔ】図５Ｔは、本技術の一形態によるインペラの等角図である。
【図５Ｕ】図５Ｕは、図５Ｔに示すインペラの分解図である。
【図５Ｖ】図５Ｖは、図５Ｔに示すインペラの底面等角図である。
【図５Ｗ】図５Ｗは、図５Ｖに示すインペラの分解図である。
【図５Ｘ】図５Ｘは、図５Ｔに図示されたようなインペラの断面図である。
【図５Ｙ】図５Ｙは、本技術の一形態によるインペラの等角図である。
【図５Ｚ】図５Ｚは、図５Ｙに示すインペラの底面等角図である。
【図５ＡＡ】図５ＡＡは、図５Ｙに示すインペラの平面図であり、図５ＤＤ〜図５ＥＥについてとられた断面を示す。
【図５ＢＢ】図５ＢＢは、図５Ｙに示すインペラの分解図である。
【図５ＣＣ】図５ＣＣは、図５Ｙに示すインペラの別の分解図である。
【図５ＤＤ】図５ＤＤは、図５ＡＡに示すようなインペラの断面を示す。
【図５ＥＥ】図５ＥＥは、図５ＡＡに示すようなインペラの断面を示す。
【図５ＦＦ】図５ＦＦは、本技術の一形態によるインペラを含むＲＰＴデバイスのための送風機の断面を示す。
【図５ＧＧ】図５ＧＧは、図５ＦＦに示すような送風機の拡大部である。
【図５ＨＨ】図５ＨＨは、本技術の一形態によるインペラの分解図である。
【図５ＩＩ】図５ＩＩは、図５ＨＨに示すインペラの断面図である。
【図５ＪＪ】図５ＪＪは、本技術の一形態によるインペラの部分的分解図である。
【図５ＫＫ】図５ＫＫは、本技術の一形態によるインペラの分解図である。
【図５ＬＬ】図５ＬＬは、図５ＫＫに示すインペラの断面図である。
【図５ＭＭ】図５ＭＭは、本技術の一形態によるインペラの分解図である。
【図５ＮＮ】図５ＮＮは、図５ＭＭに示すインペラの断面図である。
【図５ＯＯ】図５ＯＯは、本技術の一形態によるインペラの分解図である。
【図５ＰＰ】図５ＰＰは、図５ＯＯに示すインペラの断面図である。
【図５ＱＱ】図５ＱＱは、本技術の一形態によるインペラの分解図である。
【図５ＲＲ】図５ＲＲは、本技術の一形態によるインペラの分解図である。
【図５ＳＳ】図５ＳＳは、図５ＲＲに示すインペラの断面図である。
【図５ＴＴ】図５ＴＴは、図５ＲＲに示すインペラの斜視図である。
【発明を実施するための形態】
【００３８】
５  本技術の実施例の詳細な説明
本技術についてさらに詳細に説明する前に、本技術は、本明細書中に記載される異なり得る特定の実施例に限定されるのではないことが理解されるべきである。本開示中に用いられる用語は、本明細書中に記載される特定の実施例を説明する目的のためのものであり、限定的なものではないことも理解されるべきである。
【００３９】
以下の記載は、１つ以上の共通の特性および／または特徴を共有し得る多様な実施例に関連して提供される。任意の１つの実施例の１つ以上の特徴は、別の実施例または他の実施例の１つ以上の特徴と組み合わせることが可能であることが理解されるべきである。加えて、これらの実施例のうちのいずれかにおける任意の単一の特徴または特徴の組み合わせは、さらなる実施例を構成し得る。
【００４０】
５．１  治療
一形態において、本技術は、呼吸器疾患の治療方法を含む。本方法は、患者１０００の気道の入口へ陽圧を付加するステップを含む。
【００４１】
本技術の特定の実施例において、陽圧における空気供給が鼻孔の片方または双方を介して患者の鼻通路へ提供される。
【００４２】
本技術の特定の実施例において、口呼吸が制限されるか、限定されるかまたは妨げられる。
【００４３】
５．２  治療システム
１つの形態において、本技術は、呼吸障害の治療のための装置またはデバイスを含む。装置またはデバイスは、加圧空気を患者インターフェース３０００への空気回路４１７０を介して患者１０００へ供給するＲＰＴデバイス４０００を含み得る。
【００４４】
５．３  患者インターフェース
図３Ａに示したように、本技術の一様態による非侵襲的患者インターフェース３０００は、以下の機能態様を含む：シール形成構造３１００、プレナムチャンバ３２００、位置決めおよび安定化構造３３００、通気部３４００、空気回路４１７０への接続のための一形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、シール形成構造３１００は、気道への陽圧での空気供給を促進するように、患者の気道の入口を包囲するように配置される。
【００４５】
５．４  ＲＰＴデバイス
本技術の一態様によるＲＰＴデバイス４０００は、機械、空気圧式、および／または電気部品を含み、１つ以上のアルゴリズムを実行するように構成される。ＲＰＴデバイス４０００は、例えば本文書中のいずれか一項に記載の呼吸状態のうち１つ以上の治療のために患者の気道へ送達される空気流れを生成するように構成され得る。
【００４６】
一形態において、ＲＰＴデバイス４０００は、少なくとも６ｃｍＨ２Ｏまたは少なくとも１０ｃｍＨ２Ｏまたは少なくとも２０ｃｍＨ２Ｏの陽圧を維持しつつ、空気流れを−２０Ｌ／分〜＋１５０Ｌ／分の範囲で送達できるように構築および配置される。
【００４７】
図４Ａに示すように、ＲＰＴデバイスは、外部ハウジング４０１０を持ち得る。外部ハウジング４０１０は、上部４０１２および下部４０１４の２つの部分によって形成される。さらに、外部ハウジング４０１０は、１つ以上のパネル（単数または複数）４０１５を含み得る。ＲＰＴデバイス４０００は、ＲＰＴデバイス４０００の１つ以上の内部コンポーネントを支持するシャーシ４０１６を含む。ＲＰＴデバイス４０００は、ハンドル４０１８を含み得る。
【００４８】
空気圧ＲＰＴデバイス４０００の空気圧経路は、１つ以上の空気回路アイテム（例えば、入口空気フィルタ４１１２、入口マフラー、空気を陽圧で供給することが可能な圧力生成器（例えば、送風機４１４２）、出口マフラー）ならびに１つ以上の変換器（例えば、圧力センサおよび流量センサ）を含み得る。
【００４９】
空気経路アイテムのうち１つ以上は、空気圧ブロック４０２０と呼ばれる取り外し可能な一体構造内に配置され得る。空気圧ブロック４０２０は、外部ハウジング４０１０内に配置され得る。一形態において、空気圧ブロック４０２０は、シャーシ４０１６によって支持されるかまたはシャーシ４０１６の一部として形成される。
【００５０】
ＲＰＴデバイス４０００は、電源４２１０、１つ以上の入力デバイス４２２０、中央コントローラ、治療デバイスコントローラ、圧力生成器、１つ以上の保護回路、メモリ、変換器、データ通信インターフェースおよび１つ以上の出力デバイスを有することができる。電気部品４２００は、シングルプリント回路基板アセンブリ（ＰＣＢＡ）４２０２上に取り付けられ得る。一代替形態において、ＲＰＴデバイス４０００は、１つよりも多くのＰＣＢＡ４２０２を含み得る。
【００５１】
５．４．１  ＲＰＴデバイス機械および空気圧式コンポーネント
ＲＰＴデバイスは、以下のコンポーネントのうち１つ以上を一体ユニット中に含み得る。一代替形態において、以下のコンポーネントのうち１つ以上が、それぞれの別個のユニットとして配置され得る。
【００５２】
５．４．１．１  圧力生成器
本技術の一形態において、空気の流れまたは供給を陽圧において生成する圧力生成器は、制御可能な送風機４１４２である。例えば、送風機４１４２は、１つ以上のインペラを備えたブラシレスＤＣモータを含み得る。送風機は、空気供給の送達を例えば約１２０リットル／分までの速度で、約４ｃｍＨ２Ｏ〜約２０ｃｍＨ２Ｏの範囲の陽圧で、または他の形態において約３０ｃｍＨ２Ｏまで行うことができる。送風機については、以下の特許または特許出願のうちいずれか１つに記載があり得る。本明細書中、同文献全体を参考のため援用する：米国特許第７，８６６，９４４号、米国特許第８，６３８、０１４号、米国特許第８，６３６，４７９号およびＰＣＴ特許出願公開ＷＯ２０１３／０２０１６７。
【００５３】
圧力生成器は、治療デバイスコントローラの制御下にある。
【００５４】
他の形態において、圧力生成器は、ピストン駆動ポンプ、高圧源（例えば、圧縮空気リザーバ）へ接続された圧力調節器、またはベローズであり得る。
【００５５】
５．４．１．１．１  インペラ
本技術によるインペラの例を図５Ａ〜図５ＴＴに示す。インペラは、例えば本明細書中のいずれかの箇所に記載の遠心送風機内における使用に適切であり得る。
【００５６】
インペラ５００は、以下のうち１つ以上を含み得る：
・  １組のインペラブレード５１０であって、各インペラブレード５１０は、前縁５１１および後縁５１２を含む、１組のインペラブレード５１０と、
・  第１のシュラウドおよび／または第２のシュラウド（例えば、インペラを通じる流路５４０を少なくとも部分的に規定する上シュラウド５２０および／または下シュラウド５２５）と、
・  インペラをモータへ結合させるためのハブ５３０であって、ハブ５３０は、例えばモータのロータまたはモータシャフトへの締りばめによって保持され得るが、任意の数の他の公知の保持機構も適切であり得る、ハブ５３０。
【００５７】
インペラ５００が第１のシュラウドおよび第２のシュラウドを含む場合、第１のシュラウドおよび第２のシュラウドは、両者間の軸距離がインペラの外側部に向かってラジアル方向に概して低減するように、配置され得る。
【００５８】
図５Ａ〜図５Ｎは、本技術の一例によるインペラ５００を示す。図示のように、インペラ５００に含まれる複数のインペラブレード５１０は、第１のまたは上シュラウド５２０および第２のまたは下シュラウド５２５間に配置されかつ第１のまたは上シュラウド５２０および第２のまたは下シュラウド５２５へ接続される。図示の例において、下シュラウド５２５は、モータのロータを受容するように適合されたハブ５３０へ延びる。
【００５９】
図示の例において、上シュラウド５２０は、実質的に非平面である。例えば、上シュラウド５２０は、インペラの軸方向に対してラジアル方向においてテーパー付けされ得る。例えば、上シュラウド５２０は、円錐台状形状を含み得る。上シュラウド５２０は、上シュラウドの直径Ｄを規定する外縁と、インペラ入口５２２を提供する中央開口部を規定する内縁とを含む。インペラ入口壁５２１は、インペラ入口５２２の周囲を規定するように、内縁に沿って延びる。入口壁５２１の自由端部により、インペラ入口５２２の前縁５２３が得られる。この配置構成において、上シュラウド５２０はインペラの外周へ延びるため、上シュラウドの直径Ｄは、インペラの直径と同じになる。しかし、他の配置構成において、上シュラウド５２０は、インペラの外周に延びなくてもよく、例えばインペラブレードの一部のみを被覆する。
【００６０】
図示の例において、下シュラウド５２５は、実質的に平面である。図示のように、下シュラウド５２５の外縁により、上シュラウド５２０の外縁によって規定された直径Ｄと実質的に同様の直径が規定される。一例において、インペラの直径Ｄは、約５０ｍｍ未満である。５０ｍｍの寸法は、厳しく限定的なものではなく、当業者であれば、５０ｍｍに近い他の直径を用いても、一定の有用な効果が得られることを理解する。
【００６１】
上シュラウド５２０および下シュラウド５２５は、協働してインペラを通じて両者間に流路５４０を規定する。流路５４０は、インペラの内側部におけるインペラ入口５２２からインペラの外側部におけるインペラ出口５２４へ延びる。流路５４０は、複数のチャンネルを含み得る。各チャンネルは、上シュラウド５２０および下シュラウド５２５と、インペラブレード５１０とによって少なくとも部分的に規定される。
【００６２】
図示の例において、上シュラウド５２０と、下シュラウド５２５との間に規定された流路５４０は、（気流方向に対して法線方向に）インペラ入口５２２からインペラ出口５２４へ向けて狭くなるような構造にされる。すなわち、上シュラウド５２０と、下シュラウド５２５との間の間隔または距離は、インペラ入口からインペラ出口への方向において低減またはテーパー付けされる。
【００６３】
すなわち、上シュラウド５２０および下シュラウド５２５は、流路が軸方向においてインペラの内側部よりもインペラの外側部において狭くなるように、構成される。すなわち、上シュラウド５２０と、下シュラウド５２５との間の軸距離は、インペラの外側部に向かってラジアル方向において概して低減し得る。例えば、図５Ｂは、上シュラウド５２０と、下シュラウド５２５との間の例示的な軸距離ｄ１およびｄ２を示す。インペラの内側部に沿ったｄ１は、インペラの外側部に沿ったｄ２よりも大きく、軸距離は、ラジアル方向においてｄ１からｄ２へと逓減する。さらに、上シュラウド５２０および下シュラウド５２５は、インペラの出口における両者間の軸距離（すなわち、ｄ２）が入口のラジアル寸法よりも小さくなるように、構成される。
【００６４】
よって、本技術の態様によるインペラは、複数のチャンネルを含む流路５４０を含み得る。各チャンネルは、内部を通過する気流の方向に沿って高さが低減するように、構成される。
【００６５】
５．４．１．１．１．１  インペラ入口
本技術によるインペラは、比較的大型のインペラ入口サイズをインペラ直径Ｄの比率として含み得る。一形態において、インペラ入口５２２は、例えば図５Ｂに示すような上シュラウド５２０の周囲によって規定され得、上シュラウド５２０の入口壁５２１を断面に示す。
【００６６】
一般的に、他の寸法（例えば、インペラ直径）を維持しつつ遠心送風機中のインペラ入口のサイズを増加させることは不利であり得る。なぜならば、このような増加は、遠心効果を用いる圧力が送風機を通過する気流生成へ付与され得るインペラの有効直径の低減に繋がり得るからである。換言すれば、インペラ入口を拡大した場合、送風機によって生成される圧力が不十分な構成に繋がり得る。
【００６７】
しかし、例えばＲＰＴデバイスの適用の場合、美観的理由、ＲＰＴデバイスのベッドサイドへの配置の簡便性および携帯性のために小さなサイズのデバイスが望ましく、設計者は、インペラのサイズ低減を望み得る。しかし、インペラ直径が低減すると、インペラを通過する気流の速度が増加するため、例えば速度増加による空気力学的挙動に起因するインペラのノイズおよび効率に悪影響が出る。
【００６８】
いずれかの箇所に述べたように、ＲＰＴデバイスは、呼吸治療のための充分な圧力および流量生成を確保しつつベッドサイド／夜間／睡眠時間使用に好適に小型かつ静音である点において、比較的ユニークである。小型の恐らくは携帯可能なＲＰＴデバイスにおける用途の場合、インペラ直径の低減は、インペラ入口直径の相対的増加によって達成可能であることが判明している。
【００６９】
一形態において、５０ｍｍ未満の直径Ｄのインペラは、インペラ入口５２２を含み得る。インペラ入口５２２の直径（図５Ａに示すようなｄｉｎｌｅｔ）は、インペラの直径の少なくとも５０％である。５０％の比率は、厳しく限定的なものではなく、当業者であれば、５０％に近い他の比率を用いても、一定の有用な効果が得られることを理解する。一例において、インペラは、４０ｍｍの直径Ｄを含み得、インペラ入口直径ｄｉｎｌｅｔは、２０ｍｍ、２２ｍｍまたは２４ｍｍである。
【００７０】
本技術の別の態様によれば、インペラ入口壁５２１またはインペラ入口５２２の周囲は、インペラおよび／または送風機性能全体を向上させるために比較的大型の半径を含み得る。インペラ中への入来気流に対向する一部における半径を増加させると、気流は入口壁５２１へ取り付けられたままになるため、効率向上に有利に繋がり得る。
【００７１】
一形態において、インペラ入口５２２の周囲の前縁（例えば、（図５Ｂ中に最良に示すように）上シュラウド５２０の入口壁５２１の自由端部における前縁５２３）は、半径が少なくとも０．５ｍｍである断面形状を含む。別の形態において、第１のまたは上シュラウド５２０の前縁の半径は、第１のシュラウド５２０の本体の最大厚さの７０％を超える（例えば、８５％、１００％または１１５％を超える）。別の形態において、第１のまたは上シュラウド５２０の前縁５２３の半径は、第１のシュラウド５２０の本体の最大厚さを超える。別の形態において、第１のまたは上シュラウド５２０前縁は、半径がインペラの直径Ｄの少なくとも１％である断面形状を含む。使用時に、例えばノイズ低減および効率向上のためにインペラのインペラ入口５２２への気流が進入しても、半径またはその周囲における取り外しは阻止される。
【００７２】
５．４．１．１．１．２  インペラブレード
インペラ５００は、複数のインペラブレード５１０を含み得る。図示の例において、インペラは、１１個のブレード５１０を含む。しかし、インペラは、他の適切な数のブレードを含んでもよい（例えば、３個以上のブレード（例えば、５〜２０個のブレード（例えば、７個のブレード、１１個のブレード、１３個のブレード）））ことが理解されるべきである。
【００７３】
各インペラブレード５１０は、ハブ５３０からインペラ外縁へ延びる。各インペラブレードは、上シュラウド５２０および下シュラウド５２５へ接続され得る。各インペラブレードは、前縁５１１および後縁５１２を含む。「前縁」および「後縁」という用語は、航空学などにおいて慣用されているものと理解されるべきであり、（狭義の幾何学的な意味の「縁」ではなく）翼の一部を指すものである点に留意されたい。
【００７４】
例えば、「前縁」は、インペラ中に進入する空気と最初に接触するインペラブレードの一部を指し得る。同様に、「後縁」は、インペラから退出する空気と最後に接触するインペラブレードの一部を指し得る。
【００７５】
図示の例において、インペラブレード５１０は、上シュラウド５２０と、下シュラウド５２５との間に配置される。図示のように、ブレードの外側部に沿った第１の縁５１５が上シュラウド５２０と接触しかつブレードの内側部に沿った前縁５１１がインペラ入口５２２を通じて露出する（すなわち、入口壁５２１とハブ５３０との間に延びる前縁５１１によってインペラ中への入口５２２が規定される）ように、各ブレード５１０が上シュラウド５２０によって被覆される。各ブレード５１０は、第２の縁５１７が下シュラウド５２５およびハブ５３０と全体的長さに沿って接触するように、下シュラウド５２５によって被覆される。後縁５１２は、上シュラウド５２０および下シュラウド５２５の外端間のインペラ出口５２４を通じて露出される。
【００７６】
図示の例において、各ブレード５１０は、上シュラウド５２０および下シュラウド５２５の外縁へ延びる。例えば、ブレード５１０は、上シュラウド５２０および下シュラウド５２５を超えて延びる。別の例において、ブレード５１０は、上シュラウド５２０および下シュラウド５２５の外縁を超えて延び得るかまたは上シュラウド５２０および下シュラウド５２５の外縁に届かないところまで延び得る。
【００７７】
本技術の一態様によれば、インペラブレード５１０の前縁５１１および／または後縁５１２は、極めて肉薄であり得るため、インペラの入口および出口における乱流およびノイズが低減する。一例において、インペラブレード５１０の前縁５１１および／または後縁５１２の厚さは、約０．２ｍｍ未満であり得る（例えば、最肉薄の部分において測定したかまたは最外部（すなわち、最下流部）において測定した場合に約０．１ｍｍ未満）。０．２ｍｍは、厳しく限定的なものではなく、当業者であれば、０．２ｍｍに近い他の厚さを用いても、一定の有用な効果が得られることを理解する。さらに、ＲＰＴデバイスのユニークな点として、いくつかのインペラ設計において、前（および／または後）縁のサイズを外観的に低減することにより、インペラの気流およびＲＰＴデバイス効率に好影響が得られる点がある。
【００７８】
一例において、各ブレード５１０の断面厚さは、例えば少なくとも平面図における長さの一部に沿って可変にしてもよいし、あるいはテーパー付けしてもよい。例えば、図５Ｋ〜図５Ｎに示すように、各ブレード５１０の外側部は、後縁５１２へ向けてテーパー付けされた断面厚さを含み得る。
【００７９】
また、図５Ｋ〜図５Ｎに示すように、各ブレード５１０は、例えば平面図中の長さの少なくとも一部に沿って、曲線状であり得かつ／または曲線状の外面を提供し得る。例えば、図５Ｋ〜図５Ｎに示すように、各ブレード５１０の外側部は、例えば乱流およびよってノイズの低減のために気流通路を平滑にするために、後縁５１２へ向かった長さに沿って曲線状表面５１９を提供し得る。
【００８０】
さらに、図５Ｋ〜図５Ｎに示すように、隣接するブレード５１０間に規定された流路は、例えば平面図における長さの少なくとも一部に沿って拡大するような構造にされる。例えば、図５Ｋ〜図５Ｎに示すように、隣接するブレード５１０間に規定された流路は、（例えば、圧力を増加させるように）後縁５１２へ向かって拡大する構造にされる。
【００８１】
図５Ｃ、図５Ｐまたは図５Ｋ〜図５Ｎに示す断面に示すように、インペラブレード５１０は傾斜し得る。例えば、各ブレード５１０の前縁５１１は、例えばハブ５３０またはモータの軸に対して４５度を超える角度だけ傾斜し得る。
【００８２】
図５Ａ〜図５Ｎに示す例において、後縁５１２は、ハブ５３０の軸に対して実質的に並列に延びる。
【００８３】
いくつかの形態において、図５Ｏ〜図５Ｓに示すように、インペラブレード５１０は、１つ以上のセレーションを含み得る。例えば、前縁５１１および／または後縁５１２は、前縁５１１および／または後縁５１２に沿って配置された１つ以上のセレーションを含み得る。前縁セレーションおよび／または後縁セレーションの適切な可能性がある配置構成のいくつかの例について、ＰＣＴ特許出願公開第．ＷＯ２０１６／２０１５１６に記載がある。本明細書中、同文献全体を参考のため援用する。
【００８４】
５．４．１．１．１．３  インペラの構造
多くの従来技術のインペラ（特に呼吸圧力治療デバイス分野のもの）が、ポリマー材料の射出成形によって製造されている。典型的な理由を以下に（非限定的に）挙げる：
・特に生産量の増加と共に、部品毎のコストが低下する点、
・射出成形では平滑な表面仕上げが可能であるため、乱流発生が最小限になり得る点、
・成形部品の再現性が高いため、一貫性および品質管理が確保される点、および
・低密度（および比較的高剛性および高強度）のプラスチックを使用しているため、質量および回転慣性の最小化が支援され、高い加速および減速を容易に達成することができる点。
【００８５】
射出成形の使用に起因して、特定のインペラジオメトリの達成は、極めて困難であるか、または射出成形の単独使用では不可能である場合がある。例えば、曲線状の受風ブレードと、上シュラウドおよび下シュラウドとを用いたインペラの場合、射出成型プロセスを用いた製造は極めて困難であり得る。すなわち、部品を一旦成形した後に成形ツールを取り出すことは、成形後にはツールと部品が関連しあっているため、不可能である。
【００８６】
別の例において、射出成形されたプラスチック部品は、射出されている溶融プラスチックを過度の圧力の必要無くモールド内に流し込むことができるように、最小の壁厚さを必要とし得る。
【００８７】
いくつかの例において、本明細書中に記載の態様のうち１つ以上を含むインペラは、別の製造方法または構造を用いて製造することができるが、上記した不利点のうちいくつかの解消は、このような方法に関連する。
【００８８】
付加製造
【００８９】
一態様において、本技術によるインペラは、付加技術（「三次元（３Ｄ）印刷」とも呼ばれる）によって製造され得、その際、恐らくは金属材料（例えば、チタン、アルミニウムまたはステンレススチール）が用いられる。
【００９０】
多数の用途において、ＲＰＴデバイスのいくつかの場合にも、金属製のインペラの場合、回転慣性の増加に起因して、ポリマー製インペラにと比較して不利である場合がある。上記したように、インペラの回転慣性を高くすると、インペラの加減速に必要なトルクが増加するため、インペラを駆動するモータからの能力を高くする必要があり得る。その結果、モータのサイズが増加し得、よって電源および／またはバッテリの要件も高くなり得る。
【００９１】
しかし、インペラが比較的小さい場合、これらの問題の一部が軽減され得、これにより、金属材料の使用もより実行可能になる。インペラの直径が減少するにつれ、対応する回転慣性は、次のように半径の２乗だけ低下する。
【００９２】
【数１】
2020508732.tif 000004
【００９３】
式中、Ｉは回転慣性を指し、ｍはインペラの質量を指し、ｒはインペラの半径を指す。これは、実質的には回転慣性の半径への依存性の４乗である。なぜならば、所与の材料および厚さに対して、インペラの質量も半径の２乗として変化するからである。
【００９４】
よって、有利なことに、本用途およびサイズにおいて、金属材料を用いた付加製造技術は、本明細書中に記載の高効率ジオメトリを達成することができるように、特に適切であり得ることが判明している。
【００９５】
場合によっては、ロータ（例えば、モータシャフト）と同じ／類似の膨張係数を有する材料（例えば、金属材料）が選択され得る（例えば、シャフトおよびインペラは、同じ金属または金属材料を含み得る）。これにより、インペラがロータ上にプレス嵌めされたとき、これらの接合２つの回転部品間に熱膨張が１つ以上の均一に発生する。その結果、（例えば周囲空気中においてよりもモータ中においてより大きく変動し得る）温度変化があった場合も、締りばめの完全性の保持が支援され得る。
【００９６】
複数部位構造
【００９７】
例えば図５Ｔ〜図５ＴＴに示すような本技術の一態様によれば、インペラ５００は、複数の部位を含み得る。
【００９８】
いくつかの形態において、１つの部位は、別の部位と異なる材料を含み得る。例えば、第１の部位は、変形可能な弾性材料を含み得、第２の部位は、剛性材料を含み得る。一例において、剛性材料はプラスチック材料であり得、弾性材料としては、シリコーン材料などのエラストマー材料がある。
【００９９】
図５Ｙ〜図５ＥＥに示す例において、第１の成形部品または部位（すなわち、第１のインペラ部５００−１）は、インペラ５００を製造するために、第２の成形部品または部位（すなわち、第２のインペラ部５００−２）と結合されるような構造および配置構成にされ得る。第１のインペラ部５００−１は、変形可能な弾性材料（例えば、剛性材料（例えば、剛性プラスチック）を含む第２のインペラ部５００−２と結合され得るエラストマー材料（例えば、シリコーン））を含み得る。例えば、製造プロセスにおいて、先ず、第２のインペラ部５００−２の生成（例えば、成形）が行われた後、第２のインペラ部５００−２の上に第１のインペラ部５００−１がオーバーモールドされ得る。他の結合形態（例えば、化学結合または機械的接合）が、オーバーモールドされないものに適切であり得る。
【０１００】
図示のように、第１のインペラ部５００−１は、上シュラウド５２０の一部である複数のインペラブレード５１０（すなわち、上シュラウドの内側または第１の部位５２０−１であり、インペラ入口５２２の周囲を規定する入口壁５２１を含むもの）と、下シュラウド５２５の一部（すなわち、下シュラウドの外側または第１の部位５２５−１）とを含む。第２のインペラ部５００−２は、上シュラウド５２０の一部（すなわち、上シュラウドの外側または第２の部位５２０−２）と、前ロータと結合するような構造のハブ５３０と、下シュラウド５２５の一部（すなわち、下シュラウドの内側または第２の部位５２５−２）と、内側ブレード部位５１３とを含む。内側ブレード部位５１３は、例えばインペラブレード５１０へ剛性を付加するためにインペラブレード５１０内に設けられた対応する開口部５１４中に受容されるように適合される。
【０１０１】
インペラ５００の製造のために第１のインペラ部５００−１が第２のインペラ部５００−２へオーバーモールドされると、内側部５２０−１および外側部５２０−２は協働して上シュラウド５２０を形成し、外側部５２５−１および内側部５２５−２は協働して下シュラウド５２５を形成し、内側ブレード部位５１３により内部剛性がインペラブレード５１０へ付与される（すなわち、内側ブレード部位５１３により剛性材料がインペラブレード５１０に付与される）。このような配置構成において、インペラブレード５１０ならびにその前縁５１１および後縁５１２は、エラストマー材料（例えば、シリコーン）を含み、ハブ５３０は、ロータとの結合のための剛性材料を含む。
【０１０２】
このような構造により、インペラは、本明細書中に記載の所望の有利な空気力学的特徴と共に製造され得、射出成形され得る。すなわち、このような構造の使用により、第１のインペラ部５００−１（例えば、シリコーンを含むもの）は射出成形ツールを取り出すために弾性変形することが可能になるため、製造業者は、射出成形ツールの「核的存在」を引き出すことが可能になる。さらに有利なことに、第１のインペラ部５００−１のこのような材料（例えば、シリコーン）により、内側壁部をプラスチック以外で製造することが可能になり、これにより、例えば上記の肉薄のインペラブレード前縁５１１および／または後縁５１２の製造が可能になる。
【０１０３】
また、インペラ全体を変形可能な弾性材料によって構築する代わりにこのような変形可能な弾性材料を戦略的に使用することにより、インペラ製造が支援され得、耐久性に対して充分な全体構造の整合性が得られ、動作における変形も制限される。
【０１０４】
他の形態において、インペラは、複数の部位を含み得る。各部位は、必ずしも相互に異なる材料を含まない。
【０１０５】
図５Ｔ〜図５Ｘに示す例において、第１のインペラ部５００−１および第２のインペラ部５００−２は、別個にモールドしてもよいし、あるいは共に組立または締結してもよい。一例において、第１の部位および第２の部位はそれぞれ、剛性材料（例えば、剛性プラスチック（例えば、ＰＥＥＫ（ポリエーテルエーテルケトンとも呼ばれる）））を含み得る。さら別の例において、第１の部位は、変形可能な弾性材料（例えば、エラストマー材料（例えば、シリコーン））を含み得、第２の部位は、剛性材料（例えば、剛性プラスチック）を含み得る。例えば、第１の部位５００−１（すなわち、第１の成形部品または部位）は、上シュラウド５２０と、インペラブレード５１０と、第１の締結部５５０とを含み得る。第２の部位５００−２（すなわち、第２の成形部品または部位）は、ハブ５３０と、下シュラウド５２５と、第２の締結部５５５とを含み得る。第１の締結部５５０を第２の締結部５５５へ組み付けることにより、第１のインペラ部５００−１および第２のインペラ部５００−２が締結される。
【０１０６】
図示の例において、第１の締結部５５０は、ハブ部５５０−１と、ハブ部５５０−１の周囲において間隔を空けて配置されたラジアル方向に延びる突起５５０−２（例えば、図５Ｗを参照）とを含む。第２の締結部５５５は、組立時に第１の締結部５５０のハブ部５５０−１を受容するように適合された環状スロット５５５−１をハブ５３０の周囲に含み、第２の締結部５５５は、（例えば相対的回転を回避するために）組立時に第１の締結部５５０の各突起５５０−２を受容するように適合されたラジアル方向に延びるスロット５５５−２を含む。しかし、第１の締結部５５０および第２の締結部５５５は、第１のインペラ部および第２のインペラ部の締結、インターロックまたは他の様態のインターフェースを行うための他の締結構成を含み得る。ことが理解されるべきである。
【０１０７】
これら２つの部位５００−１および５００−２は、例えばスナップ嵌め、接着、溶接または他の任意の数の適切な方法により、インペラ５００を生成するように締結または固定され得る。さらに、いくつかの形態において、これら２つの部位５００−１および５００−２は、組み立てられたインペラ５００を（例えば、モータシャフトを介して）モータ上に結合させることでインペラ５００の部位間の接続をさらに強化するように、配置され得る。例えば、インペラ５００のハブ５３０が（例えばプレス嵌めによって）ロータまたはモータシャフトへ結合されると、これら２つの部位５００−１および５００−２間の締結（例えば、スナップ嵌め）が、このようなハブ結合によって支援および締結され得、例えば、スナップ嵌め締結は、ハブのロータへのプレス嵌め結合によって締結され得る。
【０１０８】
別の例において、図５ＨＨおよび図５ＩＩに示したように、第１のインペラ部５００−１（すなわち、第１の成形部品または部位）は、上シュラウド５２０と、インペラブレード５１０と、ハブ５３０と、第１の締結部５５０とを含み得る。第２のインペラ部５００−２（すなわち、第２の成形部品または部位）は、下シュラウド５２５（例えば、実質的に平面状のディスク）と、第２の締結部５５５とを含み得る。図示の例において、第１の締結部５５０は、インペラブレード５１０および／またはハブ５３０の平坦な下面から延びる複数の突起またはピップ５５６−１を含み、第２の締結部５５５は、複数の穴またはスロット５５６−２を下シュラウド５２５中に含む。２つの部位５００−１および５００−２は、複数の突起またはピップ５５６−１を各穴またはスロット５５６−２中に整列および係合させた後に例えばヒートステークによって共に締結または固定されることにより、結合され得る。突起５５６−１および対応する穴５５６−２は、円形および／または非円形の形状を含み得る。例えば、例示的な図は、インペラの類似の部位または異なる部位に沿って相互に配置され得る突起／穴の円形形状および非円形形状の組み合わせを示す（例えば、インペラブレードのラジアル方向内側部に沿った突起／穴、インペラブレードのラジアル方向外側部に沿った突起／穴、ハブに沿った突起／穴）。図５ＨＨおよび図５ＩＩは例示的なものであり、突起／穴は、２つの部位５００−１および５００−２の締結および整列を促進させるための形状、サイズおよび配置構成の任意の適切な組み合わせを含み得ることが理解されるべきである。一例において、突起／穴の数の増加により、接合部の強度が少なくとも部分的に決定され得る。
【０１０９】
一例において、図５ＪＪに示すように、各インペラブレード５１０のブレード先端の比較的鋭利な端部を充填することにより、より肉厚の突起５５６−１を形成することができる。この突起５５６−１は、下シュラウド５２５の縁部中の対応するスロットまたは切り欠き部５５６−２内に係合するように適合される。このような配置構成により、製造を促進（例えば、成型を促進）する鋭利なブレード先端の構築が回避される。
【０１１０】
図５ＫＫおよび図５ＬＬは、２つのインペラ部を含むインペラの別の例を示す。図示の例において、第１のインペラ部５００−１（すなわち、第１の成形部品または部位）は、上シュラウド５２０と、ハブ５３０の上部５３０−１と、複数のインペラブレード５１０のそれぞれの上部５１０−１とを含み得る。図示の例において、第２のインペラ部５００−２（すなわち、第２の成形部品または部位）は、下シュラウド５２５と、ハブ５３０の下部５３０−２と、複数のインペラブレード５１０のそれぞれの下部５１０−２とを含み得る。第１のインペラ部５００−１および第２のインペラ部５００−２により、概して平面の接合ジオメトリまたは（例えばハブ５３０の上部５３０−１をハブ５３０の下部５３０−２へ接着または溶接するかあるいは複数のインペラブレード５１０それぞれの上部５１０−１を複数のインペラブレード５１０それぞれの下部５１０−２それぞれ１つへ接着または溶接することにより）共に締結される平面が得られる。
【０１１１】
このような例において、第１の部位５００−１および第２の部位５００−２は、分割線を含み得、比較的簡単な回転ツールにより射出成形され得る。例えば、より複雑な第１の部位５００−１は、流路入口を形成するための線形移動しつつ回転するコア部と、流路の残りのための分割線とを含み得る。より簡単な第２の部位５００−２は、下シュラウド（例えば、実質的に平面の円板）を部分的ブレードのための分割線と共に含み得る。
【０１１２】
一例において、図５ＭＭおよび図５ＮＮに示すように、第１の部位５００−１のハブ５３０の上部５３０−１は、円筒型突起５５７−１を含み得る。円筒型突起５５７−１は、第２の部位５００−２のハブ５３０の下部５３０−２によって設けられた中央開口部５５７−２内に係合するように適合される。このような配置構成により、同心アライメント詳細（すなわち、第１の部位５００−１および第２の部位５００−２間の円筒型の位置決めインターフェース）がハブへ提供され、これにより、相互に締結された際に第１のインペラ部５００−１および第２のインペラ部５００−２のアライメントおよび同心度が促進される。
【０１１３】
別の例において、図５ＯＯおよび図５ＰＰに示すように、第２の部位５００−２のハブ５３０の下部５３０−２は、突起５５８−１（例えば、概して円筒型の突起）を含み得る。突起５５８−１（例えば、概して円筒型の突起）は、第１の部位５００−１のハブ５３０の上部５３０−１中に設けられた開口部５５８−２内に係合するように適合される。このような配置構成により、第１の部位５００−１および第２の部位５００−２（が相互に締結された際の）の第１の部位５００−１および第２の部位５００−２のアライメントを促進する同心アライメントがハブへ提供される。
【０１１４】
もちろん、２つの部位からなるインペラに限定されず、インペラ製造のために任意の数の部位を組み立てることができることが理解される。
【０１１５】
例えば、別の例において、インペラは、インペラを生成するように共に締結または固定される３つのインペラ部を含み得る。例えば、図５ＱＱに示すように、第１のインペラ部５００−１は、下シュラウド５２５と、ロータへ連結するような構造にされたハブ５３０とを含み得、第２のインペラ部５００−２は、複数のインペラブレード５１０（例えば、１１個のインペラブレード）を含み得る。第３のインペラ部５００−３は、上シュラウド５２０を含み得る。一例において、第１のインペラ部５００−１、第２のインペラ部５００−２および第３のインペラ部５００−３はそれぞれ、プラスチック材料の成型構造を含み得る。例示的な第１のステップにおいて、固定具を用いて、第１のインペラ部５００−１および第２のインペラ部５００−２を相互に組み立てることができる。例えば、複数のインペラブレード５１０を（例えば、レーザまたは音波溶接により）下シュラウド５２５およびハブ５３０へ固定することができる。例示的な第２のステップにおいて、第２の固定具を用いて、第３のインペラ部５００−３を第１のインペラ部５００−１および第２のインペラ部５００−２へ組み立てることができる。例えば、上シュラウド５２０を（例えば、レーザまたは音波溶接により）を組み立てられた下シュラウド５２５、ハブ５３０およびインペラブレード５１０へ固定することができる。
【０１１６】
別の例において、図５ＲＲ、図５ＳＳおよび図５ＴＴに示すように、インペラは、３つの部分が射出成形された構造を含み得る。例えば、第１のインペラ部５００−１（すなわち、第１の成形部品または部位）は、上シュラウド５２０と、ハブ５３０の上部５３０−１と、複数のインペラブレード５１０のそれぞれの上部５１０−１とを含み得る。図示の例において、第２のインペラ部５００−２（すなわち、第２の成形部品または部位）は、下シュラウド５２５と、ハブ５３０の下部５３０−２と、複数のインペラブレード５１０のそれぞれの下部５１０−２とを含み得る。図示の例において、第３のインペラ部５００−３（すなわち、第３の成型部品または部位）は、ハブ５３０の円筒型ハブ部位５３０−３を含み得る。例示的な第１のステップにおいて、第１の部位５００−１および第２の部位５００−２は、第１の部位５００−１および第２の部位５００−２へ提供される締結部を整列および係合させる（例えば、第１の部位５００−１へ設けられた複数の突起またはピップ５５６−１を例えば上記したような第２の部位５００−２へ設けられた各穴またはスロット５５６−２中へ整列および係合させること）により、係合または相互ロックされ得る。例示的な第２のステップにおいて、第３の部位５００−３は、第１の部位５００−１および第２の部位５００−２を相互に締結するために第１の部位５００−１および第２の部位５００−２へ射出成形され得る（例えば、ハブ５３０の形成および第１の部位５００−１および第２の部位５００−２の締結のために上部部５３０−１および下部５３０−２間に射出成形された円筒型ハブ部位５３０−３）。
【０１１７】
５．４．１．１．２  例示的な送風機
図５ＦＦは、本技術の一態様によるインペラ５００を含むＲＰＴデバイスのための送風機６００を示す。図示の例において、送風機６００は、空気の流れまたは供給を陽圧（例えば、４〜３０ｃｍＨ２Ｏの範囲）において生成するように構築および構成された２段設計を含む。一例において、ＲＰＴデバイスは、患者へ送達すべき出口からの空気流れを４〜３０ｃｍＨ２Ｏの圧力および５０ｄＢ（Ａ）未満の全体的音電力レベルにおいて送達させるように構成され、これにより、患者の睡眠の質の妨害全てが低減する。しかし、代替の実施例において、送風機は、単一段設計、３段設計または４段以上の設計も含み得る。
【０１１８】
図示のように、送風機６００は、軸空気入口（送風機入口）６１２および軸空気出口（送風機出口）６１４を含むハウジング６１０を含む。軸空気入口（送風機入口）６１２と、軸空気出口（送風機出口）６１４との間には、対応するインペラ５００（すなわち、モータ６２０の片側に配置された第１のインペラ５００およびモータ６２０の他方側に配置された第２のインペラ５００）を含む２段が配置される。モータ６２０は、インペラ５００が結合されるロータ６２５を含む。インペラ５００は、入口６１２からの空気流れを出口６１４へ送達させるようにロータ６２５によって回転されるように、構成される。しかし、他の適切なインペラ配置構成が可能である。各インペラ５００に続いて、気流を次の段または出口へ方向付けるように構築および構成された１組のステータ羽根が設けられ得る。
【０１１９】
一実施例において、ハウジング６１０は、複数のハウジング部位（例えば、入口６１２を含む第１のハウジング部分と、出口６１４を含む第２のハウジング部分と、中間ハウジング部分（例えば、気流を方向付けるステータ羽根を提供する定置コンポーネント）とを含み得る。これらの中間ハウジング部分は、（例えば溶接により）相互接続されて、実質的に密閉構造を形成する。
【０１２０】
送風機のさらなる実施例および詳細について、ＰＣＴ特許出願公開第ＷＯ２０１３／０２０１６７号に記載がある。本明細書中、同文献全体を参考のため援用する。
【０１２１】
本技術の一態様によれば、各インペラ５００に隣接するハウジング６１０の一部の半径は、インペラ５００のインペラ入口壁５２１の前縁５２３における半径に実質的に対応し得る。例えば、図５ＧＧに最良に示すように、送風機入口６１２の周囲に隣接するハウジング６１０の一部は、概して曲線状の表面（例えば、凹面６１５）を含む。この概して曲線状の表面は、インペラ入口壁５２１の前縁５２３に設けられた概して曲線状の表面（例えば、凸面５２７）から間隔を空けて配置されかつ概して曲線状の表面（例えば、凸面５２７）に隣接する。一例において、ハウジング６１０のこのように概して凹状の面６１５は、インペラ入口壁５２１の前縁５２３に設けられた概して凸状の面５２７の半径に実質的に対応する半径を含む。
【０１２２】
ハウジング６１０およびインペラ５００の表面６１５および５２７間に形成された曲線状チャンネル６５０の実質的に対応する半径、構成、と、接線が概して下方を向く（すなわち、図５ＧＧ中の短矢印Ａ１に近接するインペラへ向かっている）地点において終端するこのような曲線状チャンネル６５０とにより、（図５ＧＧ中の長矢印Ａ２によって示される）環流現象がインペラ入口５２２に円滑に進入することが支援される。様すなわち、ハウジング６１０およびインペラ５００の対応する曲線状表面６１５および５２７によって形成された曲線状チャンネル６５０により、環流現象がインペラ入口５２２中へと方向付けられる。
【０１２３】
５．５  用語集
本技術の開示目的のため、本技術の特定の形態において、以下の定義のうち１つ以上が適用され得る。本技術の他の形態において、別の定義も適用され得る。
【０１２４】
５．５．１  一般
空気：本技術の特定の形態において、空気は大気を意味し得、本技術の他の形態において、空気は、他の呼吸可能なガスの組み合わせ（例えば、酸素を豊富に含む大気）を意味し得る。
【０１２５】
流量：単位時間あたりに送出される空気の瞬時の量（または質量）。流量とは、瞬間の量を指し得る。場合によっては、流量について言及した場合、スカラー量（すなわち、大きさのみを有する量）を指す。他の場合において、流量について言及した場合、ベクトル量（すなわち、大きさおよび方向両方を持つ量）を指す。流量には、符号Ｑが付与され得る。「流量」を簡略的に「流れ」もしくは「気流」と呼ぶ場合もある。
【０１２６】
患者：呼吸器疾患に罹患しているかまたはしていない人。
【０１２７】
圧力：単位面積あたりの力。圧力は、多様な単位で表現され得る（例えば、ｃｍＨ２Ｏ、ｇ−ｆ／ｃｍ２、及びヘクトパスカル）。１ｃｍＨ２Ｏは、１ｇ−ｆ／ｃｍ２に等しく、およそ０．９８ヘクトパスカルである。本明細書において、他に明記無き限り、圧力はｃｍＨ２Ｏの単位で付与される。
【０１２８】
呼吸圧力治療（ＲＰＴ）：雰囲気に対して典型的には陽圧である治療圧力における空気供給の気道入口への付加。
【０１２９】
人工呼吸器：患者が呼吸動作の一部または全てを行い際に圧力補助を提供する機械的デバイス。
【０１３０】
５．５．１．１  機械的特性
弾性：弾性変形時にエネルギーを吸収することおよび除荷時にエネルギーを解放することが可能な材料の能力。
【０１３１】
弾性のある：除荷時に実質的に全てのエネルギーを解放する。例えば特定のシリコーンおよび熱可塑性エラストマーを含む。
【０１３２】
硬度：材料自体の変形に抵抗する能力（例えば、ヤング係数または規格化されたサンプルサイズ上において測定された押込硬さスケールによって記述されたもの）。
・「軟性」材料は、シリコーンまたは熱可塑性エラストマー（ＴＰＥ）を含み得、例えば指圧力下において容易に変形し得る。
・「硬質」材料は、ポリカーボネート、ポリプロピレン、鋼またはアルミニウムを含み得、例えば指圧力下において容易に変形し得ない。
【０１３３】
構造または構成要素の剛度（または剛性）：構造または構成要素が負荷を受けたときに変形に抵抗する能力。負荷は、力またはモーメントであり得る（例えば、圧縮、伸張、屈曲またはねじれ）。構造または構成要素は、異なる方向において異なる抵抗を提供し得る。
【０１３４】
フロッピー構造または構成要素：自重を支持させられた際に比較的短期間（例えば、１秒）以内に形状を変化させる（例えば、屈曲する）構造または構成要素。
【０１３５】
剛性の構造または構成要素：使用時において典型的に遭遇する負荷を受けた際に実質的に形状変化の無い構造または構成要素。このような用途の実施例として、患者インターフェースを例えばおよそ２０〜３０ｃｍＨ２Ｏの圧力の負荷において患者気道入口に対して密閉した様態でセットアップおよび維持することがあり得る。
【０１３６】
５．６  他の注意事項
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【０１３７】
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０１３８】
さらに、本明細書中に値（単数または複数）が本技術の一部として具現される場合、他に明記無き限り、このような値が近似され得、実際的な技術的実行が許容または要求する範囲まで任意の適切な有効桁までこのような値を用いることが可能であると理解される。
【０１３９】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０１４０】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０１４１】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０１４２】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していない、認めるものと解釈されるべきではない。さらに、記載の公開文献の日付は、実際の公開文献の日付と異なる場合があり、個別に確認が必要であり得る。
【０１４３】
「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素またはステップが明記されていない他の要素、構成要素またはステップと共に存在、利用または結合され得ることを示す。
【０１４４】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０１４５】
本明細書中の技術について、特定の実施例を参照して述べてきたが、これらの実施例は本技術の原理および用途を例示したものに過ぎないことが理解されるべきである。いくつかの場合において、用語および記号は、本技術の実施に不要な特定の詳細を示し得る。例えば、「ｆｉｒｓｔ（第１の）」および「ｓｅｃｏｎｄ（第２の）」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその様態を同時にまたはさらに同期的に行うことが可能であることを認識する。
【０１４６】
よって、本技術の意図および範囲から逸脱することなく、例示的な実施例において多数の変更例が可能であり、また、他の配置構成が考案され得ることが理解されるべきである。
【符号の説明】
【０１４７】
５００  インペラ
５００−１  第１のインペラ部
５００−２  第２のインペラ部
５００−３  第３のインペラ部
５１０  インペラブレード
５１０−１  上部
５１０−２  下部
５１１  インペラブレード前縁
５１２  インペラブレード後縁
５１３  内側ブレード部位
５１４  開口部
５１５  第１の端部
５１７  第２の端部
５１９  曲線状表面
５２０  上シュラウド
５２０−１  上シュラウド第１の部位
５２０−２  上シュラウド第２の部位
５２１  入口壁
５２２  インペラ入口
５２３  前縁
５２４  インペラ出口
５２５  下シュラウド
５２５−１  下シュラウド第１の部位
５２５−２  下シュラウド第２の部位
５２７  曲線状表面
５３０  ハブ
５３０−１  上部
５３０−２  下部
５３０−３  ハブ部
５４０  流路
５５０  第１の締結部
５５０−１  ハブ部
５５０−２  突起
５５５  第２の締結部
５５５−１  環状スロット
５５５−２  スロット
５５６−１  突起
５５６−２  穴
５５７−１  突起
５５７−２  開口部
５５８−１  突起
５５８−２  開口部
６００  送風機
６１０  ハウジング
６１２  送風機入口
６１４  送風機出口
６１５  曲線状表面
６２０  モータ
６２５  ロータ
６５０  チャンネル
１０００  患者
１１００  同床者
３０００  患者インターフェース
３１００  シール形成構造
３２００  プレナムチャンバ
３３００  位置決めおよび安定化構造
３４００  通気部
３６００  接続ポート
３７００  前額支持部
４０００  ＲＰＴデバイス
４０１０  外部ハウジング
４０１２  上部
４０１４  下部
４０１５  パネル
４０１６  シャーシ
４０１８  ハンドル
４０２０  空気圧ブロック
４１１２  入口空気フィルタ
４１４２  送風機
４１７０  空気回路
４２００  電気コンポーネント
４２０２  ＰＣＢＡ
４２１０  電源
４２２０  入力デバイス
５０００  加湿器
【図１Ａ】
2020508732.tif 000005
【図２Ａ】
2020508732.tif 000006
【図３Ａ】
2020508732.tif 000007
【図４Ａ】
2020508732.tif 000008
【図５Ａ】
2020508732.tif 000009
【図５Ｂ】
2020508732.tif 000010
【図５Ｃ】
2020508732.tif 000011
【図５Ｄ】
2020508732.tif 000012
【図５Ｅ】
2020508732.tif 000013
【図５Ｆ】
2020508732.tif 000014
【図５Ｇ】
2020508732.tif 000015
【図５Ｈ】
2020508732.tif 000016
【図５Ｉ】
2020508732.tif 000017
【図５Ｊ】
2020508732.tif 000018
【図５Ｋ】
2020508732.tif 000019
【図５Ｌ】
2020508732.tif 000020
【図５Ｍ】
2020508732.tif 000021
【図５Ｎ】
2020508732.tif 000022
【図５Ｏ】
2020508732.tif 000023
【図５Ｐ】
2020508732.tif 000024
【図５Ｑ】
2020508732.tif 000025
【図５Ｒ】
2020508732.tif 000026
【図５Ｓ】
2020508732.tif 000027
【図５Ｔ】
2020508732.tif 000028
【図５Ｕ】
2020508732.tif 000029
【図５Ｖ】
2020508732.tif 000030
【図５Ｗ】
2020508732.tif 000031
【図５Ｘ】
2020508732.tif 000032
【図５Ｙ】
2020508732.tif 000033
【図５Ｚ】
2020508732.tif 000034
【図５ＡＡ】
2020508732.tif 000035
【図５ＢＢ】
2020508732.tif 000036
【図５ＣＣ】
2020508732.tif 000037
【図５ＤＤ】
2020508732.tif 000038
【図５ＥＥ】
2020508732.tif 000039
【図５ＦＦ】
2020508732.tif 000040
【図５ＧＧ】
2020508732.tif 000041
【図５ＨＨ】
2020508732.tif 000042
【図５ＩＩ】
2020508732.tif 000043
【図５ＪＪ】
2020508732.tif 000044
【図５ＫＫ】
2020508732.tif 000045
【図５ＬＬ】
2020508732.tif 000046
【図５ＭＭ】
2020508732.tif 000047
【図５ＮＮ】
2020508732.tif 000048
【図５ＯＯ】
2020508732.tif 000049
【図５ＰＰ】
2020508732.tif 000050
【図５ＱＱ】
2020508732.tif 000051
【図５ＲＲ】
2020508732.tif 000052
【図５ＳＳ】
2020508732.tif 000053
【図５ＴＴ】
2020508732.tif 000054
【国際調査報告】
2020508732.tif 000055
2020508732.tif 000056
2020508732.tif 000057